(57)【要約】  【課題】  一対の吊線の交差状態を確実に維持することができる、架線分岐用吊線交差保持金物を提供する。  【解決手段】  長手方向の両側に設けた一対の、同心円上に沿って長い透孔２，２に挿通させる締付けボルト３と、これに螺合するナット４によって互いに相対向させて締付ける一対の挟持板１，１を備える。そして、一方の挟持板１の相対向面に、互いに交差させて重なり合う吊線ｍ，ｍ´の一方を係合する係合凹部を、他方の挟持板の相対向面に他方の吊線ｍ´を係合する係合凹部５´をそれぞれ設ける。【選択図】    図５
2010200402.tif 000002
【特許請求の範囲】
【請求項１】
長手方向の両側に設けた一対の透孔に挿通させる締付けボルトと、これに螺合するナットによって互いに相対向させて締付ける一対の挟持板を備え、一方の挟持板の相対向面に、互いに交差させて重なり合う吊線の一方を係合する係合凹部を、他方の挟持板の相対向面に他方の吊線の係合凹部をそれぞれ設けた、吊線交差保持金物。
【請求項２】
一対の挟持板を、同形、同大のもので構成した、請求項１記載の吊線交差保持金物。
【請求項３】
係合凹部を、透孔の中心を結ぶ仮想直線に対し４５度の角度に傾斜させた、請求項１又は２記載の吊線交差保持金物。
【請求項４】
透孔を同一円周上に沿う長孔で構成した、請求項１乃至３のうちいずれか１項記載の吊線交差保持金物。
【請求項５】
係合凹部の、両端の溝幅を拡開状に広げた、請求項１乃至４のうちいずれか１項記載の吊線交差保持金物。
【発明の詳細な説明】
【技術分野】
【０００１】
本発明は、ケーブルを交差方向に架線するに際し、該ケーブルを支持する吊線（メッセンジャーワイヤー）の交差方向状態を保つために用いる吊線交差保持金物に関するものである。
【背景技術】
【０００２】
公知構造の吊線交差保持金物として、筒状の押圧子とボルト体を互いに組付けて成り、Ｕ字状ボルトの中間部を両端の螺子部方向に折り曲げて螺子部間を第一挟持間隙とし、Ｕ字状中央部と前記螺子部間を第二挟持間隙と成すように構成した前記ボルト体の螺子部を、前記押圧子に貫通させて押圧子より突出した螺子部先端にナットを螺合して構成し、前記第一、第二の挟持間隙に係合挿通させて交差方向に配した一対の吊線を、ナットを締め付けることにより押圧子で締付け、一対の吊線の交差方向状態を保つようにした構造のものがある（例えば、特許文献１）。
【先行技術文献】
【特許文献】
【０００３】
【特許文献１】意匠登録第７３７０７７号公報
【発明の概要】
【発明が解決しようとする課題】
【０００４】
前記の従来例は、吊線を交差方向に配したとき、各吊線それぞれが直線状に配設保持される状況の場合には、該吊線交差保持金物を中心とした左右の張力はそれぞれほぼ均等で、且つ、合力も発生しないので、配線状態を常に保持して問題はないが、一方の吊線が吊線交差保持金物部を頂点としてある角度をもって、くの字に屈曲配線せざるを得ない場合（交差する一方の道路がくの字になっている場合等）、該吊線の一方側から内角側の他方の吊線にかけて電柱へとケーブルを配線させる場合には、吊線は直線になろうとするため、この力が該吊線交差保持金物に対し前記の内角方向に働き、更に、これに風圧力が加わった場合には同金具を吊線に沿って移動させてしまい、従って、道路上から外れた位置にケーブルが配線されることとなり、不都合が生じる。
【０００５】
本発明は、斯様な移動による不都合を、できるだけ避けることのできる吊線交差保持金物を提供することを目的として創案したものである。
【課題を解決するための手段】
【０００６】
長手方向の両側に設けた一対の透孔に挿通させる締付けボルトと、これに螺合するナットによって互いに相対向させて締付ける一対の挟持板を備え、一方の挟持板の相対向面に、互いに交差させて重なり合う吊線の一方を係合する係合凹部を、他方の挟持板の相対向面に他方の吊線の係合凹部をそれぞれ設けたことを基本的手段とする。
【発明の効果】
【０００７】
本発明によれば、締付けボルトとこれに螺合するナットによって互いに締付ける一方の挟持板に設けた係合凹部に、交差方向に配した一対の吊線の一方を、他方の挟持板に設けた係合凹部に他方をそれぞれ係合させるものであるから、吊線同士は交差関係を保持しつつ互いに固定することができ、吊線の交差状態を保持するものとして好適な製品を提供できる。
【０００８】
また、前記の基本的手段に一対の挟持板を、同形、同大のもので構成した点を付加することにより在庫管理や現場への搬送等々の取扱い上、好適な製品を提供することができ、また、係合凹部を、透孔の中心を結ぶ仮想直線に対し４５度の角度に傾斜させた構成を付加することにより一般的な配置方式である吊線の直交状態を確実に保持でき、さらに、透孔を同一円周上に沿う長孔で構成した点を採用すれば、吊線の交差角度に応じて当該吊線に組付け、該交差角度を維持でき、また、係合凹部の、両端の溝幅を拡開状に広げた構成を用いれば、吊線の交差角度との誤差を吸収して、該吊線の交差状態の保持を期待できるのである。
【図面の簡単な説明】
【０００９】
【図１】平面図。
【図２】図１の一部拡大図。
【図３】図２のａ−ａ線断面図。
【図４】図２の正面図。
【図５】図４斜視図。
【実施例】
【００１０】
図面は、本発明に係る吊線交差保持金物の一実施例を示し、実施例の吊線交差保持金物Ａは、互いに同形な同大の一対の挟持板１，１（必ずしも、同形、同大である必要はない）と、該挟持板１に設けた透孔２に挿通させて、先端にナット４を螺合して前記挟持板１，１を締付ける締付けボルト３とで構成する。
【００１１】
挟持板１は、略長方形状の金属製の平板の両側に、平板の中央を中心とする同一円周に沿わせて長くした前記透孔２，２をそれぞれ設け、片面には該透孔２，２の中心を結ぶ仮想直線ａ（図２）に対しほぼ４５度の角度で傾斜（交差）する係合凹部５を設けて構成する。
【００１２】
係合溝５は、前記仮想直線ａと重なり合う中央部５ａを深くし、中央部５ａより浅い両端部５ｂ，５ｂを開口端方向に次第に拡径して拡開状にして、該拡開状の端部５ｂを利用して、吊線ｍの交差角度との誤差を吸収できるようにしてある。
【００１３】
前記締付けボルト３は、角根部３ａが前記透孔２の幅径とほぼ一致する方形状を成す、所謂角根付ボルトで構成し、角根部３ａが透孔２に係合することにより、先端に螺合した前記ナット４の締付け操作による共廻りを防ぐようにしてある（従って、ナット４による締付け操作が確実かつ円滑に行われる）。
【００１４】
そして、互いにほぼ直角方向に交差して重なり合う一対の吊線ｍ，ｍの一方ｍを、一方の挟持板１の係合凹部５に、他方ｍ（図面上、ｍ´で表わす）を、他方の挟持板１（図面上、１´で表わす）の係合凹部５（図面上、５´で表わす）にそれぞれ係合させるようにして一対の挟持板１，１´を相対向面側に係合凹部５が存するように重ね合わせ、一方の挟持板１側から締付けボルト３を互いに一致させた透孔２，２に挿通させ、他方の挟持板１（１´）側から突出した締付けボルト３の先端にナット４を螺合、締付けることにより、交差方向に配した吊線ｍ，ｍ（ｍ´）は交差部において互いに固定されるのである。
【００１５】
なお、実施例の挟持板１，１は互いに同形のものを互いに逆にして架線用分岐金物Ａを構成してあるが、互いに異形の、例えば、透孔と係合溝の位置関係が異なる互いに異形の挟持板を用いても不都合はない。
【００１６】
実施例の場合は、吊線を固定するに必要な一対の挟持板を同形のものと用いることにより在庫管理、搬送に好適であり、ボルト、ナットも実施例のように一種類のものを利用することにより該在庫管理等が尚一層好適である。
【００１７】
また、透孔２は、実施例のような長孔を必ずしも用いる必要はないが、実施例のように同心円上に存する長孔で構成することにより、一対の吊線ｍ，ｍ（ｍ´）が互いに直交した交差関係にない場合でも、すなわち、所謂対頂角が９０度以下の場合でも、該ｍ，ｍを係合溝５に係合してこれらを挟持板１，１で締め付け固定することができ、実用的である。
【００１８】
なお、図示ｃはケーブル、ｈはケーブルハンガーである。
【符号の説明】
【００１９】
１，１´    挟持板
２，２´    透孔
３          締付けボルト
４          ナット
５，５´    係合凹部
【図１】
2010200402.tif 000003
【図２】
2010200402.tif 000004
【図３】
2010200402.tif 000005
【図４】
2010200402.tif 000006
【図５】
2010200402.tif 000007